(57)【要約】【課題】組み付けやすく信頼性の高いアンテナの放射器を提供する。【解決手段】筐体と，放射エレメントと，からなるアンテナの放射器において，前記放射エレメントは，その両端側に位置する元部を相互に対向配置して，該元部の軸線が略同一軸線上となるように形成されたループアンテナからなり，前記筐体は，その両側に，夫々前記ループアンテナの前記元部を軸線方向から見たときの投影面積に対応する形状で該元部を挿通自在に形成した挿通口が，夫々の挿通口の軸線を略同一軸線上とするように対向配置して備えられており，しかもその挿通口が配設されている間隔は，前記ループアンテナの元部間の間隔より広い間隔であって，一方の元部を一方の挿通口から筐体内に挿入し，その一方の元部を他方の挿通口が形成された筐体側壁の近傍まで挿通した時に，他方の元部が，他方の挿通口の外側近傍に有るように配設した。【選択図】  図５
2008135866.tif 000002
【特許請求の範囲】
【請求項１】
内部に回路要素を収納し得るようにした空間を有する筐体と，少なくとも元部を前記筐体内に収納するように保持された放射エレメントと，からなるアンテナの放射器において，
前記放射エレメントは，その両端側に位置する元部を相互に対向配置して，該元部の軸線が略同一軸線上となるように形成されたループアンテナからなり，
前記筐体は，その両側に，夫々前記ループアンテナの前記元部を軸線方向から見たときの投影面積に対応する形状で該元部を挿通自在に形成した挿通口が，夫々の挿通口の軸線を略同一軸線上とするように対向配置して備えられており，しかもその挿通口が配設されている間隔は，前記ループアンテナの元部間の間隔より広い間隔であって，一方の元部を一方の挿通口から筐体内に挿入し，その一方の元部を他方の挿通口が形成された筐体側壁の近傍まで挿通した時に，他方の元部が，他方の挿通口の外側近傍に有るように配設したことを特徴としたアンテナの放射器。
【請求項２】
前記挿通口は，
ループアンテナの元部の挿入時は，前記元部の軸線と前記挿通口の軸線を略一致させて対向配置した状態で，前記元部は前記挿通口の略軸線方向に挿通自在であり，
ループアンテナの元部の挿入後は，該元部の軸線と前記挿通口の軸線とが略同一線上を維持したままで，前記ループアンテナを前記挿通口の軸線方向に略直交する方向に支持可能に形成されていることを特徴とした請求項１に記載のアンテナの放射器。
【請求項３】
前記ループアンテナは，金属材からなる細径の棒状のエレメント材を折り返し成形してなり，該ループアンテナを垂直方向に配置したときに，前記元部には，該元部の軸線に対して水平方向に略直交する寸法が前記エレメント材より幅広になるように形成され，該元部の軸線に対して垂直方向に略直交する寸法が前記エレメント材より充分に短い寸法になるように前記エレメント材に一体的に板状の止着片が形成されると共に，該止着片には該ループアンテナを前記筐体に取付けるための止着手段を備えてなることを特徴とした請求項１または請求項２の何れか一項に記載のアンテナの放射器。
【請求項４】
前記挿通口は，
ループアンテナの元部の挿入時は，前記ループアンテナが垂直方向に向かないように，所定量だけ傾けた状態で，前記元部の軸線と前記挿通口の軸線を略一致させて対向配置させることによって，前記元部を前記挿通口の軸線方向に挿通自在であるように形成されており，
ループアンテナの元部の挿入後において，該ループアンテナを垂下させた状態では，該元部は前記挿通口から抜脱不能に構成されたことを特徴とした請求項３に記載のアンテナの放射器。
【請求項５】
前記ループアンテナは，前記挿通口に挿通支持されて垂下した状態で，前記筐体の空間内部の略中央において，元部に備えられた前記止着手段に対して止着具でもって前記筐体に固着するように構成したことを特徴とする請求項１から請求項４の何れか一項に記載のアンテナの放射器。
【請求項６】
アンテナにおいて，
請求項１から請求項５の何れか一項に記載のアンテナの放射器を備えたことを特徴としたアンテナ。
【発明の詳細な説明】
【技術分野】
【０００１】
本発明は，主にテレビ受信に利用されるアンテナに関し，詳しくはＵＨＦ帯のテレビ電波を受信するＵＨＦアンテナに適した放射器の構成に関する。
【背景技術】
【０００２】
近年広がりつつある地上ディジタル放送は，一定レベル以上の電波を受信できれば，ディジタル放送の持つその優れた特性によって綺麗な画像を受信することが出来ることから，従来のアナログ放送受信用アンテナで一般的であった八木・宇多式アンテナに加え，ベランダでも屋内であっても簡単に取付けができ，しかも邪魔にならないような小型で軽量，且つデザイン性にも優れた多様なアンテナが求められるようになった。しかし，地上ディジタル放送の受信であっても共同受信に使うようなアンテナは，信号の分配を考慮して八木・宇多式アンテナのような高性能なアンテナを利用するほうがよい。
このような従来の八木・宇多式アンテナとして，アンテナ支持杆にアンテナ素子として導波用，反射用がブームの軸線方向に適当な間隔を隔てた位置に，夫々軸線の方向に直行する方向に向けた複数個の貫通孔を備えたアンテナ支持杆に対し，上記複数個の貫通孔の夫々に直線形状を有する小径で軽量の金属をパイプ状に形成した導波用および反射用のアンテナ素子を貫通させ，これらのアンテナ素子をアンテナ支持杆に夫々固定する方法のアンテナがある。そして，更に特性を良くするために，第１放射器要素と第２放射器要素を備えさせて，各放射器要素の配列方向に夫々インダクタンス要素を備えた放射器を備えることによって，小型でも特性の良いアンテナを構成したものが提案されている。（例えば，特許文献１参照）
【０００３】
【特許文献１】特開昭５６−４３９０２号公報
【発明の開示】
【発明が解決しようとする課題】
【０００４】
しかし，特許文献１に示されるように，直線形状を有する小径で軽量の金属をパイプ状に形成した放射器要素では，エレメントが持つ物理的な寸法，即ち，エレメントが細いことから，その電気的特性の内の，特に使用周波数帯の帯域が広く取れないといった問題があり，小型であるといった条件のもとで特性の優れたアンテナを提供するには限度があった。
加えて，このように相変わらず細長い金属パイプを使用したアンテナでは，各エレメントの端部が尖っていてアンテナの組立て時やアンテナの取付け時の取扱いは不便で危険でもあるので，上述のような地上ディジタル放送用のアンテナのように，ベランダや屋内等に簡単且つ安全に取付けて地上ディジタル放送を楽しむためのアンテナを提供するには不向きであるといった問題が有った。更に加えて，このようなアンテナでは各エレメントにカラス等の鳥類が止まることによって，エレメントがまがってしまうといった問題もあった。そこで本発明においては，こうした問題点を解決するためになされたものであり，
その目的は，広帯域に亘って特性のよいアンテナを提案することを課題とする。
他の目的は，小型でも高性能なアンテナを提供することを課題とする。
他の目的は，簡単な構成で組立て易いアンテナを提供することを課題とする。
他の目的は，耐久性の優れたアンテナを提供することを課題とする。
【課題を解決するための手段】
【０００５】
上記課題を解決するために，請求項１の発明は，内部に回路要素を収納し得るようにした空間を有する筐体と，少なくとも元部を前記筐体内に収納するように保持された放射エレメントと，からなるアンテナの放射器において，
前記放射エレメントは，その両端側に位置する元部を相互に対向配置して，該元部の軸線が略同一軸線上となるように形成されたループアンテナからなり，前記筐体は，その両側に，夫々前記ループアンテナの前記元部を軸線方向から見たときの投影面積に対応する形状で該元部を挿通自在に形成した挿通口が，夫々の挿通口の軸線を略同一軸線上とするように対向配置して備えられており，しかもその挿通口が配設されている間隔は，前記ループアンテナの元部間の間隔より広い間隔であって，一方の元部を一方の挿通口から筐体内に挿入し，その一方の元部を他方の挿通口が形成された筐体側壁の近傍まで挿通した時に，他方の元部が，他方の挿通口の外側近傍に有るように配設するように構成した。
【０００６】
請求項２の発明は，請求項１に記載のアンテナの放射器において，
前記挿通口は，ループアンテナの元部の挿入時は，前記元部の軸線と前記挿通口の軸線を略一致させて対向配置した状態で，前記元部は前記挿通口の略軸線方向に挿通自在であり，ループアンテナの元部の挿入後は，該元部の軸線と前記挿通口の軸線とが略同一線上を維持したままで，前記ループアンテナを前記挿通口の軸線方向に略直交する方向に支持可能に形成されるように構成した。
【０００７】
請求項３の発明は，請求項１または請求項２の何れか一項に記載のアンテナの放射器において，
前記ループアンテナは，金属材からなる細径の棒状のエレメント材を折り返し成形してなり，該ループアンテナを垂直方向に配置したときに，前記元部には，該元部の軸線に対して水平方向に略直交する寸法が前記エレメント材より幅広になるように形成され，該元部の軸線に対して垂直方向に略直交する寸法が前記エレメント材より充分に短い寸法になるように前記エレメント材に一体的に板状の止着片が形成されると共に，該止着片には該ループアンテナを前記筐体に取付けるための止着手段を備えてなるように構成される。
【０００８】
請求項４の発明は，請求項３に記載のアンテナの放射器において，
前記挿通口は，ループアンテナの元部の挿入時は，前記ループアンテナが垂直方向に向かないように，所定量だけ傾けた状態で，前記元部の軸線と前記挿通口の軸線を略一致させて対向配置させることによって，前記元部を前記挿通口の軸線方向に挿通自在であるように形成されており，ループアンテナの元部の挿入後において，該ループアンテナを垂下させた状態では，該元部は前記挿通口から抜脱不能に構成した。
【０００９】
請求項５の発明は，請求項２から請求項４の何れか一項に記載のアンテナの放射器において，
前記ループアンテナは，前記挿通口に挿通支持されて垂下した状態で，前記筐体の空間内部の略中央において，元部に備えられた前記止着手段に対して止着具でもって前記筐体に固着するように構成した。
【００１０】
請求項５の発明は，アンテナにおいて，
請求項１から請求項５の何れか一項に記載のアンテナの放射器を備えるように構成する。
【発明の効果】
【００１１】
請求項１の発明によれば，内部に回路要素を収納し得るようにした空間を有する筐体と，少なくとも元部を前記筐体内に収納するように保持された放射エレメントと，からなるアンテナの放射器において，
前記放射エレメントは，その両端側に位置する元部を相互に対向配置して，該元部の軸線が略同一軸線上となるように形成されたループアンテナからなり，前記筐体は，その両側に，夫々前記ループアンテナの前記元部を軸線方向から見たときの投影面積に対応する形状で該元部を挿通自在に形成した挿通口が，夫々の挿通口の軸線を略同一軸線上とするように対向配置して備えられており，しかもその挿通口が配設されている間隔は，前記ループアンテナの元部間の間隔より広い間隔であって，一方の元部を一方の挿通口から筐体内に挿入し，その一方の元部を他方の挿通口が形成された筐体側壁の近傍まで挿通した時に，他方の元部が，他方の挿通口の外側近傍に有るように配設するように構成したので，元部と元部の間隔が所定寸法を有するように形成されたループアンテナであっても，両元部を幅広の筐体に形成されたの挿通口に対して容易に挿通できるし，ループアンテナを一旦筐体に取付けたなら，ループアンテナは筐体から容易には抜脱することができ無いといった，強固な取付構造を有する信頼性の高いアンテナの放射器が提供できる。
【００１２】
請求項２の発明によれば，請求項１に記載のアンテナの放射器において，前記挿通口は，ループアンテナの元部の挿入時は，前記元部の軸線と前記挿通口の軸線を略一致させて対向配置した状態で，前記元部は前記挿通口の略軸線方向に挿通自在であり，ループアンテナの元部の挿入後は，該元部の軸線と前記挿通口の軸線とが略同一線上を維持したままで，前記ループアンテナを前記挿通口の軸線方向に略直交する方向に支持可能に形成されるように構成したので，例えば一方の元部を一方の挿通口に挿入した後でも，筐体に形成された挿通口の軸線に対して，ループアンテナの角度を任意に傾けることができることから，他方の元部を筐体の他方の挿通口に対して挿入しやすいようにするために，ループアンテナの位置決め操作が容易となリ，ループアンテナの筐体への取付性が損なわれることが無い。
【００１３】
請求項３の発明は，請求項１または請求項２の何れか一項に記載のアンテナの放射器において，前記ループアンテナは，金属材からなる棒状のエレメント材を折り返し成形してなり，該ループアンテナを垂直方向に配置したときに，前記元部には，該元部の軸線に対して水平方向に略直交する寸法が前記エレメント材より幅広になるように形成され，該元部の軸線に対して垂直方向に略直交する寸法が前記エレメント材より充分に短い寸法になるように前記エレメント材に一体的に板状の止着片が形成されると共に，該止着片には該ループアンテナを前記筐体に取付けるための止着手段を備えてなるように構成したので，エレメント材は，その先端部に対してプレス等の加工手段によって止着手段を備えた止着片を一体に形成できるほどの細幅の線幅を有するものでよく，ループアンテナが軽量化でき，延いては，アンテナの軽量化が実現できる。
【００１４】
請求項４の発明によれば，請求項３に記載のアンテナの放射器において，前記挿通口は，ループアンテナの元部の挿入時は，前記ループアンテナが垂直方向に向かないように，所定量だけ傾けた状態で，前記元部の軸線と前記挿通口の軸線を略一致させて対向配置させることによって，前記元部を前記挿通口の軸線方向に挿通自在であるように形成されており，ループアンテナの元部の挿入後において，該ループアンテナを垂下させた状態では，該元部は前記挿通口から抜脱不能に構成したので，一旦ループアンテナを筐体に取付けたなら，ループアンテナが筐体から簡単には抜脱することができない強固な取付構造を有する更に信頼性の高いアンテナの放射器が提供できる。
【００１５】
請求項５の発明によれば，請求項２から請求項４の何れか一項に記載のアンテナの放射器において，前記ループアンテナは，前記挿通口に挿通支持されて垂下した状態で，前記筐体の空間内部の略中央において，元部に備えられた前記止着手段に対して止着具でもって前記筐体に固着するように構成したので，筐体にループアンテナを取付けてから止着片に備えた止着手段を筐体の中央部に形成された取付部に対して位置合わせさえすれば，ループアンテナは力を加えなくても自然に垂下することで止着片の止着手段と筐体の取付部とが対向配置され，止着具による筐体の取付部への取付が簡単にできる。
【００１６】
請求項６の発明によれば，アンテナにおいて，請求項１から請求項５の何れか一項に記載のアンテナの放射器を備えるように構成したので，上記効果を有した高性能なアンテナを提供できる。
【発明を実施するための最良の形態】
【００１７】
以下に，本発明を具体化した実施形態の例を，図面を基に詳細に説明する。
図１は本発明に係るアンテナの放射器の構成を示す概略斜視図である。図２は本発明のアンテナの放射器を構成するループアンテナの説明図であり，（ａ）は上面図，（ｂ）は正面図である。図３はループアンテナの元部の部分拡大図およびこの元部に対応するケース本体に形成される挿通口の形状を示し，（ａ）から（ｃ）には夫々異なる実施例を示すものである。図４から図６はケース本体に対するループアンテナの取付手順の説明図であリ，夫々，（ａ）は上面図，（ｂ）は正面から見た一部断面図である。図７は放射器の完成図を示し，（ａ）は上面図，（ｂ）は正面から見た一部断面図である。図８はケース本体に備える挿通口の異なる実施例である。図９は本発明に係るアンテナの導波器を示す概略構成図であり（ａ）は上面図であり，（ｂ）は正面図であり，（ｃ）は背面図であり，（ｄ）は右側面図である。図１０（ａ）は本発明に係るアンテナの反射器の斜視図であり，（ｂ）は反射器とアンテナ支持杆の取付構造を示す一部を破断した要部拡大図である。図１１は本発明に係るアンテナを示す概略の構成図であり，（ａ）は上面図であり，（ｂ）は側面図である。（ｃ）はアンテナの異なる実施例を示す側面図である。図１２は図１１（ａ）におけるＡ−Ａ線断面図であり，（ｂ）は図１１（ａ）におけるＢ−Ｂ線断面図（反射器は省略した）である。図１３は図１１（ａ）におけるＣ−Ｃ線断面図であり，（ｂ）は図１３（ａ）におけるＤ−Ｄ線断面図（反射器は一部を破断した）である。尚，以下の説明において方向や位置を示す場合は，特に明示する場合を除き，図１における矢印Ｆを「前」とし，この方向線に対して上下方向（垂直方向）および左右方向（水平方向）とする。
【実施例１】
【００１８】
先ず本発明に係るアンテナの放射器について図１を用いて説明する。図１において１０は本発明に係る放射器を示す。この図に示されるように放射器１０は，第１放射器１１と第２放射器１２を，図に示される前方（図に示される矢印Ｆ方向）に第２放射器１２，後方に第１放射器１１となるように相互に離隔して平行に配した構成になっている。本発明の実施例において，この放射器１０の構成は，棒状の金属材を折り返し成形したものであり，第１放射器１１は放射器１０の配列方向に略直交する平面上に，水平方向の両側に長く，夫々の内側には相互に対向する接続点１１ａ，１１ａ´を有する元部１１ｇ，１１ｇが形成された上部放射素子１１ｄと，該上部放射素子１１ｄより下方に略平行に配設される下部放射素子１１ｅと，上部放射素子１１ｄと下部放射素子１１ｅの両端部を結ぶ側部放射素子１１ｂ，１１ｃから構成されており，元部１１ｇが相互に対向して配置され，その軸線（即ち，本発明の実施例では上部放射素子１１ｄの軸線）が略同一軸線上であるような矩形に形成された１つの第１ループアンテナから構成されている。
同様に第２放射器１２は，放射器１０の配列方向に略直交する平面上に，水平方向の両側に長く，夫々の内側には相互に対向する接続点１２ａ，１２ａ´を有する元部１２ｇ，１２ｇが形成された上部放射素子１２ｄと，該上部放射素子１２ｄより下方に略平行に配設される下部放射素子１２ｅと，上部放射素子１２ｄと下部放射素子１２ｅの両端部を結ぶ側部放射素子１２ｂ，１２ｃから構成されており，元部１２ｇが相互に対向して配置され，その軸線（即ち，本発明の実施例では上部放射素子１２ｄの軸線）が略同一軸線上であるように矩形に形成された１つの第２ループアンテナから構成されている。
【００１９】
しかも，第１ループアンテナ１１と第２ループアンテナ１２とは，ループアンテナの配列方向に相対向する第１ループアンテナ１１の元部１１ｇ，１１ｇの接続点１１ａ，１１ａ´と第２ループアンテナ１２の元部１２ｇの接続点１２ａ，１２ａ´の夫々前後に対向する接続点間（即ち，１１ａ−１２ａ間，１１ａ´−１２ａ´間）に，位相調整用の位相調整手段１５，１５が介設されている。
そして，少なくとも，放射器１０を構成する第１ループアンテナ１１の元部１１ｇ，１１ｇ，第２ループアンテナ１２の元部１２ｇ，１２ｇと位相調整手段１５，１５はケース５（図１の一点鎖線で示されている。詳細は後述する。）に収納されるよう構成されている。
尚，本発明の実施例では放射素子としてループアンテナを用い，そのループアンテナの形状を矩形としたが，特にこの形状に限定されるものではなく必要に応じて他の形状となるように構成してもよい。
また，本発明の実施例では，前記位相調整手段１５はプリント配線板に備えられた金属導体を所定の長さにエッチングすることによって形成したものでもよいし，金属板等を所定長に打ち抜き形成するなどして形成してもよい等その形成方法は実施例に限定されるものではない。
【００２０】
次にループアンテナの前記元部１１ｇ，１２ｇについて図２および図３を基に詳細に説明する。尚，以下の説明では説明を簡単にするためにループアンテナ１１の元部１１ｇについて説明し，ループアンテナ１２の元部については同様な構成であるため，特に明示しない限りその説明は省略する。
図２は本発明に係るループアンテナ１１の概略構成が示されたものであり，本発明の実施例では，ループアンテナ１１はエレメント材としての細径の金属棒を上述のように折り返し成形するように構成されており，その上部放射素子１１ｄの先端部には，元部１１ｇが軸線を略同一軸線上に対向配置するように形成されている。この元部１１ｇの実施例の部分拡大図とループアンテナをケースに組付けるための，ケースに備えられた元部を挿通するための挿通口の形状が図３に示されており，この内，図３（ａ）に示される実施例１が図２に示されるこの元部１１ｇの拡大図である。この図３（ａ）の実施例に示される元部１１ｇは，該ループアンテナ１１を図に示されるように垂直方向に配置したときに，前記元部１１ｇの軸線に対して水平方向に略直交する寸法が前記上部放射素子であるエレメント材１１ｄの径より幅広になるように形成され，該元部１１ｇの軸線に対して垂直方向に略直交する寸法は前記エレメント材１１ｄより充分に短い寸法の板状になるように，プレス等の手段によって一体的に形成された止着片１１ｆが設けられていると共に，該止着片１１ｆには該ループアンテナ１１を後述のケースの取付部に取付けるための接続点１１ａが形成されている。
また，図３（ｂ），（ｃ）に示される元部１１ｇの実施例は，エレメント材１１ｄの先端部に接続点１１ａが形成されているものの，止着片１１ｆが形成されていない例を示している。これらの例では，止着片１１ｆが形成されていないのでループアンテナの加工の工程が簡単になるのであるが，エレメント材１１ｄは接続点１１ａを形成するだけの幅が必要となり，図３（ａ）に示される実施例より幅広の物が必要となる。
尚，本発明の実施例ではこの接続点１１ａは止着片１１ｆ若しくはエレメント材１１ｄに形成された貫通孔であり，この貫通孔の変わりに，例えば，止着片１１ｆの一部を切り欠いて凹状に形成したものでもよく，特に実施例に限定されるものではない。尚，この接続点１１ａが請求項に記載の止着手段である。
【００２１】
このように構成されたループアンテナ１１をケース５に取付ける手順を，図３（ａ）と図４から図６を用いて説明する。まず，ループアンテナ１１を取付けるケース５について簡単に説明する。本発明の実施例においては，ケース５は合成樹脂材を金型等を使って成形したものであり，上方を開口して内部に空間７ａを有するケース本体７と，ケース本体７の開口部を閉塞する蓋体（後述する図７および図１２に示される）６から構成されており，本発明の実施例ではループアンテナ１１はケース本体７に取付けられるように構成されている。尚，このケース５が請求項に記載の筐体である。
前記ケース本体７には，その両側壁に，夫々前記ループアンテナ１１の前記元部１１ｇを軸線方向から見たときの投影面積に対応する形状で該元部１１ｇを挿通自在に形成した挿通口７１，７２が，夫々の挿通口の軸線を略同一軸線上とするように対向配置して備えられている。本発明の実施例におけるその挿通口７１，７２の形状は，図３（ａ）の右図に示される（この図には挿通口７２は示されていない。）ように，放射エレメント（即ち，上部放射素子１１ｄ）の径より僅かに大きい内径を有する孔７１ａに加え，元部１１ｇの止着片１１ｆより僅かに大きい形状を有し，水平方向に長辺を有する長孔７１ｂが，夫々の中心点を一致させて重合した形状に形成されており，一方の元部１１ｇと挿通口７１（若しくは，元部１１ｇと挿通口７２）の軸線を略一致させた状態で相互に対向させることによって，一方の元部１１ｇは挿通口７１（若しくは，他方の元部１１ｇは挿通口７２）に挿通自在となるし，挿通後は，上部放射素子１１ｄは孔７１ａに対して夫々軸心を略同一線上となるように支持されて回転自在となるように構成されているのである。
また，その挿通口７１，７２が配設されている間隔は，前記ループアンテナ１１の元部１１ｇ間の間隔より広い間隔であって，一方の元部１１ｇを一方の挿通口７１からケース本体７内に挿入し，その一方の元部１１ｇを他方の挿通口７２が形成された筐体側壁の内側近傍まで挿通した時に，他方の元部１１ｇが，他方の挿通口７２の外側近傍に有るように配設されている。
【００２２】
次にループアンテナ１１の取付である，図４に示すように，ループアンテナ１１の中央の空間部分にケース本体７を位置させ，左側の元部１１ｇがケース本体７に形成された挿通口７１に挿入できる位置になるように，ループアンテナ１１を図に示される矢印Ｒ方向に僅かに傾けるように配設して，元部１１ｇと挿通口７１とを対向させる。
そして，図５に示すように，夫々の軸線軸線を略一致させてから，ループアンテナ１１を図における矢印ＲＲ方向にむかって挿入し，挿入した一方の元部１１ｇが他方の挿通口７２の近傍となる位置まで押し込む。このとき，ループアンテナ１１は弾性を有していることによって，夫々の軸線軸線を一致させた場合に，他方の元部１１ｇ側の上部放射素子１１ｄ等がケース本体７等の外面に重合するような位置にあったとしても，その形状に応じてループアンテナ１１が僅かに変形することによって，ケース等が元部の挿入の邪魔になることはないし，元部１１ｇの挿入後はループアンテナ１１は所定の形状に復帰する。挿入した一方の元部１１ｇが他方の挿通口７２の近傍となる位置まで押し込んだ状態で，他方側の元部１１ｇは，他方の挿通口７２の外側近傍に位置している。
そして，この状態になったなら図６に示すように，ループアンテナ１１を矢印ＬＬ方向に押し戻すようにして，他方の元部１１ｇを他方の挿通口７２からケース本体７内に挿入すれば，ループアンテナ１１はケース本体７に取付けられるのである。このようにして取付けらたループアンテナ１１は，その元部１１ｇに放射素子より幅広の止着片１１ｆが形成されていても，上部放射素子１１ｄの軸線と孔７１ａおよび孔７２ａの軸線を夫々略一致させ，前記挿通口７１および７２の軸線方向に略直交する方向に回転自在に支持可能に構成されているので，ループアンテナ１１に外部から力を加えない状態では，ループアンテナ１１はケース本体７に対して垂下した状態となる。また，ループアンテナ１１は両側の元部１１ｇによってケース本体７を抱きかかえるように取付けられているので，ループアンテナ１１を一度ケース本体７に取付けてしまえば，ループアンテナ１１はケース本体７から自然に外れ落ちることは無い。尚，止着片１１ｆの横幅と，長孔７１ｂ（７２ｂ）の横幅を略同じ寸法になるようにしておいて，元部１１ｇの挿入操作は圧入等によって行うように構成しておけば，更にループアンテナ１１ｇは振動等が加わっても容易に外れ落ちることは無い。
【００２３】
ループアンテナ１１がケース本体７に取付けられたなら，図６に示されるように，ループアンテナ１１の元部１１ｇがケース本体７の略中央に位置するように配設する。ケース本体７の内部に形成される空間７ａの略中央部には，空間７ａの底部内面から上方に突設した，略中央部にネジ取付穴１４ａを有するボス１４が形成されており，ループアンテナ１１が垂下した状態で，ネジ取付孔１４ａの軸線と元部１１ｇに備えた接続点１１ａの軸線は，略同一軸線上に配置するように構成されている。
ここで，ボス１４の突設寸法と元部１１ｇの止着片１１ｆとの位置関係を，図５から図７および図１２を基に説明する。図５に良く示されるようにループアンテナ１１の一方の元部１１ｇを挿通した状態において，ボスの突設長は，その先端部が上部放射素子１１ｄの外周面に略当接する長さであり，また，図６に示されるようにボス１４の上端面と止着片１１ｆの下面との間の寸法が所定の間隔ｔとなるように構成されている。
本発明の実施例では，このボス１４の上端面と止着片１１ｆの下面との間の所定寸法ｔは，図７に示すように，前記位相調整手段１５としての伝送線路が形成されたプリント配線板４３を取付けることができる寸法であり，プリント基板４３としては，例えば，板厚（＝ｔ）１ｍｍのＦＲ４等のコンポジット材を使って構成すればよい。
【００２４】
前記プリント配線板４３には，前記ボス１４に対向する位置に固定用の挿通孔（図には示されていない）が形成されているので，この固定用の挿通孔をボスのネジ取付穴１４ａに対向するように，プリント配線板４３を止着片１１ｆとボス１４との間に挿設する。そして，元部１１ｇの上方からビス４４を接続点１１ａ，プリント基板４３に形成された固定用挿通孔を介してネジ取付穴１４ａに螺合する事によって，ループアンテナ１１とプリント基板４３に形成された位相調整手段１５とは電気的に接続されるし，ループアンテナ１１とプリント基板４３はケース本体７に強固に固着される。ループアンテナ１２も同様な構成であるので詳細な説明は省略する。
尚，図７に示される７５は挿通口７１および７２を閉塞するための，例えば，弾性を有するゴムや合成樹脂材等からなる防水キャップであり，略中央には図には示されていない前記挿通口の外形より僅かに小さい内径を有する太径の孔と，その先端部には前記太径の孔に連設した上部放射素子１１ｄの外形より僅かに小さな内径を有する細径の孔を備えた貫通孔を備えるように構成されている。この防水キャップのループアンテナへの取付けは，上部放射素子の元部に止着片を形成する前に，予め上部放射素子を防水キャップの細径の孔に挿入して防水キャップを上部放射素子に装着しておいてから，金型等を使って上部放射素子の元部に止着片を形成することで完了する。防水キャップのケース本体への取付は，ループアンテナがケース本体に取付けられた後に，防水キャップを図７（ａ）に示す矢印７７のようスライドさせ，挿通口７１および挿通口７２の外周面に摺動固着させることで行われる。防水キャップは，その弾性力によってケース本体の挿通口外周および挿通口が形成された側壁に密着保持され，この結果，ケース内に砂埃や雨水等が浸入するのが防止される。
【００２５】
次に，本発明の異なる実施例を図８を用いて説明する。この実施例では上記実施例と同じループアンテナ１１を用い，このループアンテナ１１の取付けは上記の通り容易にできるものの，一旦取付けてしまえばケース本体７からは更に容易に抜脱できないように構成したものである。
この異なる実施例における挿通口７１および７２は，図８（ａ）に良く示されるように，ループアンテナ１１を前方若しくは後方に僅かに傾けた状態で，元部１１ｇが挿通口７１もしくは７２に挿通可能なように，挿通口７１および７２の取付位置が，挿通口を構成する長孔７１ｂおよび７２ｂの長手方向の軸線が図におけるθだけ傾けた状態に形成されている。つまり，ループアンテナ１１をケース本体７に対して取付けるときは，ループアンテナ１１の一方の元部１１ｇと挿通口７１（若しくは他方の元部１１ｇと挿通口７２）を対向させるようにループアンテナ１１をθだけ傾けてから，上記取付手順と同様な方法で取付を行う。
ループアンテナ１１の取付後は，図８（ｂ）に良く示されるように，ループアンテナ１１は前記挿通口７１および７２の軸線方向に略直交する方向に回転可能に支持されているので，ループアンテナ１１に力を加えない状態では，ループアンテナ１１はケース本体７に対して垂下した状態となることから，ループアンテナ１１に外部から力を加えない限り，元部１１ｇの止着片１１ｆは水平方向を向いて配設される。それに対して，上述のように挿通口７１の長孔７１ｂおよび７２の長孔７２ｂは角度θだけ傾いた状態で設けられていることから，ループアンテナ１１の元部１１ｇの軸線と，ケース本体１１に形成された挿通口７１および７２の軸線とは略同一軸線上に配設されていても，元部１１ｇと挿通口７１，７２は対向配置されないので，上記実施例に比べてその抜脱は容易にし難いのである。
【００２６】
そして，このような放射器の構成において所望の電気的特性が得られるように第１のループアンテナ１１および第２ループアンテナ１２の長さ，間隔が決定されている。本発明によれば前記第１ループアンテナ１１の長さは使用周波数における最小周波数に対応する波長λ１と略等しい長さであり，前記第２ループアンテナ１２の長さは使用周波数における中心周波数に対応する波長λ２と略等しい長さであり，第１ループアンテナと第２ループアンテナ相互間の間隔は使用周波数における中心周波数に対応する波長λ２の略１０分の１であるように構成されている。
ここで，放射器のループアンテナの具体的な寸法を図１１に示す。第１のループアンテナ１１は側部放射素子１１ｂ−１１ｃ間の長さＷ４＝２６０ｍｍ，側部放射素子１１ｂおよび１１ｃの長さＨ４＝４５．５ｍｍであり，第２のループアンテナ１２は側部放射素子１２ｂ−１２ｃ間の長さＷ５＝２２５ｍｍ，側部放射素子１２ｂおよび１２ｃの長さＨ５＝４５．５ｍｍであり，第１のループアンテナ１１と第２のループアンテナ１２の間隔は５２ｍｍである。そして，上述のように構成された放射器１０は第１ループアンテナ１１，第２ループアンテナ１２の配列方向に最大の指向特性を有するように構成されるのである。
尚，本発明の実施例において，前記第１ループアンテナ１１および前記第２ループアンテナ１２は直径３ｍｍの金属棒を所定長に折り曲げ形成したものであるが，金属パイプで形成してもよいし，導電材をプレス加工したものでもよいし，細い線材をループ状に形成したものを樹脂で一体成形してもよい等，導電材料であれば実施例に限定されるものではない。
【００２７】
以上，本発明のアンテナの放射器１０によれば，放射器１０を構成するエレメントが，元部と元部の間隔が所定寸法を有するように形成されたループアンテナであっても，その両元部を収納するための筐体に対して，予め所定の形状に形成されたループアンテナの形状を変形させること無く簡単に取付けできるし，ループアンテナを一旦筐体に取付けたなら，ループアンテナは筐体から容易には抜脱することができないといった，組付性がよく，簡単な構成でも強固で信頼性の高い取付構造を有するアンテナの放射器が提供できる。
また，ループアンテナは，ループアンテナの両方の元部を使って，筐体を抱きかかえるように筐体に保持する構成をしていることから，例えば，ループアンテナにカラス等の鳥類が止まったとしても，従来の，放射器のエレメントがパイプでできたアンテナに比べループアンテナが落下し難く，エレメントが破損して折れて落下してしまうといったことの無い，エレメントの筐体に対する取付強度が強いアンテナの放射器を提供できる。
そして，本発明によれば，前記ループアンテナを前記挿通口の軸線方向に略直交する方向に回転自在に支持可能に形成されるように構成することによって，例えば一方の元部を一方の挿通口に挿入した後でも，筐体に形成された挿通口の軸線に対して，ループアンテナの角度を任意に傾けることができることから，他方の元部を筐体の他方の挿通口に対して挿入しやすいようにするために，ループアンテナの位置決め操作が容易となリ，ループアンテナの筐体への取付性が損なわれることが無く，組立性のよいアンテナの放射器を提供できるのである。
【００２８】
更に，前記ループアンテナは，エレメント材に該エレメント材より幅広の板状の止着片が一体的に形成されると共に，該止着片には該ループアンテナを前記筐体に取付けるための止着手段を備えるように構成してあっても，筐体に対する取付性を損なうこと無く取付ができるので，エレメント材は，その先端部に対してプレス等の加工手段によって止着片を一体に形成できるほどの細幅の線幅を有するものであればよく，ループアンテナが軽量化でき，延いては，アンテナの軽量化が実現できる。
【００２９】
また，本発明の放射器においては，前記ループアンテナは，前記挿通口に挿通支持され垂下した状態で，前記筐体の空間内部の略中央において，元部に備えられた前記接続点としての止着手段に対してネジ等の止着具でもって前記筐体に固着するように構成したので，筐体にループアンテナを取付けてから止着片に備えた止着手段を筐体の中央部に形成された取付部に対して位置合わせさえすれば，ループアンテナは力を加えなくても自然に垂下して止着片の止着手段と筐体の取付部とが対向配置され，止着具による筐体の取付部への取付が簡単に行うことができる。
【００３０】
このようにして，ループアンテナ１１，１２と，位相調整手段１５を備えた前記プリント基板４３の筐体への取付が完了したのならば，図１２(ｂ)に示すようにプリント配線板４３の所定位置とアンテナ出力端子４０との間を平衡不平衡変換部４５等を介して接続する。収容部１８はこの平衡不平衡変換部４５等を収納すると共に，前記アンテナ出力端子４０を取付ける為の空間であり，ケース本体７の底部の一部から下方に突設して内部に第２収納空間１８ａを有し，この第２収納空間１８ａの底面にアンテナと外部とを接続するためのアンテナ出力端子としてＦ型同軸接栓座４０を備えるように構成されている。尚，図に示される１９は水切りスカート部であり，収容部１８の下面に，前記同軸接栓座４０と軸心を一致させた円筒状の水切りが下方に向けて２重に突設されている。
更に収容部１８は，アンテナ出力端子４０の先端部が，前記アンテナ支持杆の中心軸線上を通過し該中心軸線に略平行に形成される仮想平面（図１２（ｂ）におけるＨ−Ｈ線）と略同じか下方向に位置するように形成されていることから，アンテナ出力端子４０に対して引込線を接続する際に，アンテナ支持杆２やループアンテナ１１，１２が邪魔になって接続の容易性を損なうことがない。一例として図１２（ｂ）に示されるように，アンテナ出力端子４０の先端部が，ほぼループアンテナの下部放射素子１１ｅ，１２ｅが配列方向に形成する仮想平面上になるようにその高さが形成されていればよい。
また，平衡不平衡変換部４５等の収容部１８をアンテナ支持杆２が配設される側（即ち，下方に）でアンテナ支持杆２の取付けに邪魔にならない位置に突設したので，放射器１０のケース５がアンテナ支持杆２の上方に突設する部分が小さくでき，延いてはアンテナを薄型にできる。
尚，本発明の実施例では，収容部１８には平衡不平衡変換部４５等を収納する例を示したが，平衡不平衡変換部４５等ばかりでなく例えばこのＵＨＦアンテナの出力信号と，図には示されていない例えば衛星アンテナのような外付けのアンテナからの信号を混合して一つのアンテナ出力端子４０から出力する混合回路を収納してもよい。この場合，収容部１８の下面には，外付けアンテナからの引込線を接続する外付けアンテナ用の外部アンテナ入力端子を備えさせればよい。
【００３１】
次に導波器３について図９を用いて説明する。尚，図９においては説明を簡単にするために１つの導波器を示したが，本発明のアンテナでは複数の導波器を前後に配列して導波器３を形成している。図９に示されるように本発明の実施例における導波器３は，垂直方向の高さに比べて水平方向の長さが長い略長方形に形成された第３ループアンテナ３０，３０を，導波器３の配列方向に直交する平面上に所定間隔離し，第３ループアンテナ３０の長手方向の軸線を水平方向に一致させて２つ並列配置した構成となっている。そして，この導波器が前後方向に所定間隔だけ離れて複数個配設されている。
この第３ループアンテナ３０は導波器の配列方向に直交する平面上に，水平方向に長い上部導波素子３０ｄと該上部放射素子３０ｄより下方に略平行に配設される下部導波素子３０ｅと，上部導波素子３０ｄと下部導波素子３０ｅの両端部を結ぶ側部導波素子３０ｂ，３０ｃからなる矩形に形成されている。尚，本発明の実施例では導波器３は，側部導波素子３０ｂ，３０ｂの間隔（以下，導波器の幅と記載する。）Ｗが夫々異なる３Ａ，３Ｂの２類用意されている。尚，導波素子の高さＨ１は一種類である。
【００３２】
ここで，導波器の第３ループアンテナ３０の具体的な寸法を示す。本発明の実施例では，第３ループアンテナ３０の幅ｗはそれぞれｗ１＝１２４ｍｍ，ｗ２＝１４６ｍｍの２種類あり，夫々の導波器は長さＨ１＝２２ｍｍが同じ長さの側部放射素子３０ｂ（３０ｃ）から構成されており，第３ループアンテナ３０を相互に６０ｍｍ離すように配設されて導波器を構成している。従って，導波器３は図１１に示されるように，導波器の幅ＷがＷ１＝３１４ｍｍ（導波器３Ａ）とＷ２＝３５８ｍｍ（導波器３Ｂ）の２種類となる。
尚，本発明の実施例では，前記第３ループアンテナ３０は直径３ｍｍの金属棒を所定長に折り曲げ形成したものであるが，この実施例に限定されるものではなく，金属パイプで形成してもよいし，導電材をプレス加工したものでもよいし，細い線材をループ状に形成したものを樹脂で一体成形してもよい等，導電材料であれば実施例に限定されるものではない。また，この実施例では第３のループアンテナ３０が矩形をしている例を示したが，この実施例に限定されるものではなく適宜にその形状を変えてもよい。
【００３３】
そして，この第３ループアンテナ３０，３０は，図９に示されるように，第３ループアンテナの長手方向の軸線を同一線上に配設すると共に，導波器３の幅Ｗが前述した所定長となるように，夫々の元部３０ｇをループアンテナ支持台３１によって保持されて導波器３が形成されている。このループアンテナ支持台３１は，合成樹脂材等を金型等によって成形したものであり，第３ループアンテナ３０，３０はループアンテナ支持台３１に一体加工によってしっかりと取付けられ，ループアンテナ３０が水平方向にスタック配列された導波器３を構成している。
ループアンテナ支持台３１の略中心位置には，導波器３を支持固定する（図には示されていない）アンテナ支持杆２を挿通するための挿通孔３４が形成されている。更に，この挿通孔３４の周縁の全周若しくは図における少なくとも上側部分には，アンテナ支持台３１からアンテナ支持杆２の軸線方向に略平行に突設し，その突設部分の中央部にはアンテナ支持杆２の軸線に直交する方向に軸線を有する貫通孔３３を備えた突設片３２が形成されている。
【００３４】
次に反射器について図１０を用いて説明する。図１０（ａ）は反射器２０の概略斜視図である。図１０（ａ）において２０は反射器であり，本発明の実施例では反射器２０は表面をアルマイト処理されたアルミ板材を矩形に打ち抜き形成したものである。反射器２０内に形成された２０ａは反射器２０の軽量化や受風面積の低減を兼ねてデザインされた反射器２０を打ち抜き形成した長孔である。
５０は反射器２０とアンテナ支持杆２との間に介在させることにより反射器２０とアンテナ支持杆２とを固定するための取付アングルである。この取付アングル５０は反射器２０の前方側に突出するように形成した少なくともアンテナ支持杆２の周方向の半分若しくはそれより狭い範囲で，アンテナ支持杆２の外周面に対応するように湾曲部５１を形成した所定の長さを有するアンテナ支持杆取付部５２と，このアンテナ支持杆取付部５２の後方側においてアンテナ支持杆取付部５２の突設方向に略直交するように連設された前記反射器２０に取付けるための反射器取付部５７から構成されている。この反射器取付部５７と反射器２０とは例えば螺子６０とナット６１等の取付手段でしっかりと固定されている。
そして，前記取付アングル５０の前方側アンテナ支持杆取付部５２を前記アンテナ支持杆２の周径方向（図ではアンテナ支持杆の上方）からアンテナ支持杆２の周面に当付け，止着手段としての螺子棒５３とナット５４でもって前記取付アングル５０をアンテナ支持杆２に取付けるように構成されている。
ここで反射器２０の具体的な寸法を示す。本発明の実施例では板厚が１，５ｍｍでアルミ材を幅Ｗ６＝２９５ｍｍ，高さＨ６＝１００ｍｍに形成したものである。
尚，本発明の実施例に示す取付アングル５０のアンテナ支持杆取付部５２は，少なくともアンテナ支持杆２の周方向の半分若しくはそれより狭い範囲で，アンテナ支持杆２の外周面に当付けるようして取付ける構成の例を示したが，この実施例に限定されるものではなく，アンテナ支持杆取付部５２は，アンテナ支持杆２の周方向の半分より広い範囲の外周面に対応する形状を有することで，アンテナ支持杆２を抱き込むような形状に形成し，アンテナ支持杆２の端部に挿入するようにして取付ける構成にしてもよい。
【００３５】
このように構成された放射器１０と導波器３と反射器２０を備えたアンテナの構成例を図１１に示す。図１１において１はアンテナであり，本発明の実施例では，ＵＨＦアンテナを構成した例を示している。上述のように導波器３は幅Ｗが異なる２種類の導波器３Ａ，３Ｂから構成されており，アンテナの前方側から順に第１の導波器３Ａ，第２の導波器３Ａ，第３の導波器３Ａの３本の導波器が夫々Ｌ１に示される間隔で配設され，その後にＬ２に示される間隔だけ離れて第４の導波器３Ａが配設され，さらにＬ３に示される間隔だけ離れて第５の導波器３Ｂが配設されている。
そして，第５の導波器３Ｂの後方には，第２ループアンテナ１２と第１ループアンテン１１との前後の中心点と前記第５の導波器３Ｂとの間隔がＬ４となるように放射器１０が配設され，放射器１０の後方には間隔Ｌ５だけ離れて反射器２０が配設されて全部で７エレメントのＵＨＦアンテナを構成している。
ここで，各素子の間隔の具体的な寸法を示す。本発明に係る実施例においてはＬ１＝１００ｍｍ，Ｌ２＝１０５ｍｍ，Ｌ３＝１１５ｍｍ，Ｌ３＝７５ｍｍ，Ｌ４＝１２５ｍｍである。
尚，この図に示されるように，第１，第２，第３および第４の導波器３Ａの幅がＷ１で示され，第５の導波器３Ｂの幅がＷ２で示されている。これらの導波器の高さ（側部導波素子３ｂ）は何れもＨ１である。
放射器１０は，第２ループアンテナ１２の幅がＷ５で示され，第１ループアンテナ１１の幅がＷ４で示され，その高さはＨ４，Ｈ５で示されている。
反射器２０は幅Ｗ６であり，高さＨ６で示されている。
尚，本発明の実施例ではループアンテナの高さは導波器３がＨ１であるように構成されているが，特にこの実施例に限定されるものではなく，例えば，導波器の隣り合うループアンテナの，電波到来方向に対して前方に位置するループンテナの垂直方向の高さが，後方に位置するループアンテナの垂直方向の高さより僅かに小さくなるように構成してもよい。
【００３６】
ここで，図１２，図１３および図１０（ｂ）を基に導波器３と放射器１０と反射器２０をアンテナ支持杆２に取付ける具体的な手順を説明する。図１２は（ａ）は図１１（ａ）に示されているＡ−Ａ線断面図であり，（ｂ）は図１１（ａ）に示されているＢ−Ｂ線断面図である。図１３（ａ）は図１１（ａ）に示されているＣ−Ｃ線断面図であり，図１３（ｂ）は図１３（ａ）に示されているＤ−Ｄ線断面図である。尚，この図１２（ｂ）においては説明を簡単にするために反射器２０は省略してある。
導波器３（図では第５の導波器３Ｂ）をアンテナ支持杆２に取付ける手順を説明する。先ずアンテナ支持杆２を導波器３のループアンテナ支持台３１に形成した挿通孔３４に挿通する。アンテナ支持杆２には上述に示す第１の導波器３Ａから第５の導波器３Ｂの配設間隔であるＬ１，Ｌ２，Ｌ３に対応する位置にアンテナ支持杆２を貫通するように軸線に直交する上下方向に導波器取付用の貫通孔２３が形成されているので，所定の導波器を，それに対応する導波器取付用の貫通孔２３の軸線とループアンテナ支持台３１の突設片３２に形成された貫通孔３３の軸線とを略一致するように位置させて，例えば突設片３２の上方から貫通孔３３，導波器取付用の貫通孔２３を挿通するようにネジ２１を備え，このネジ２１をアンテナ支持杆２の下側に備えたナット２２に螺合する事によって導波器３とアンテナ支持杆２を挟着保持すれば，導波器３はアンテナ支持杆２に対して所定の間隔でしっかりと取付けられる。
尚，本発明の実施例ではアンテナ支持杆２は導波器の中心点（即ち，ループアンテナ支持台に形成された挿通孔）を通過するようにして導波器３を支持した例を示したが，図４（ｃ）に示されるようにアンテナ支持杆２の上側（もしくは下側）に各エレメントが配されるように構成してもよいなど特に限定されるものではない。
【００３７】
次に，放射器１０をアンテナ支持杆２に取付ける手順を説明する。アンテナ支持杆２には導波器３を取付ける為の導波器取付用の貫通孔２３に加えて，前記第５の導波器３Ｂより所定間隔Ｌ４だけ離れた後方位置に，前記導波器取付用の貫通孔２３と並行になるように放射器１０取付用の貫通孔２４がアンテナ支持杆２を貫通して形成されている。そして，放射器１０に備えられた第１および第２ループアンテナ１１，１２を貫通するようにアンテナ支持杆２を挿通して，前記ケース５の基台であるケース本体７の底部に形成された放射器取付部８が前記放射器取付用の貫通孔２４に対向する位置まで移動させる。放射器取付部８と放射器取付用の貫通孔２４とが略同一軸線上となったなら，アンテナ支持杆２の下方からネジ２５を放射器取付用の貫通孔２４に挿入する。
ケース取付部８の略中央部には，前記ネジ２５に螺合する雌ネジ部を有するナット９が備えられているので，このナット９にネジ２５を螺合する事によって放射器１０はアンテナ支持杆２にしっかりと取付けられる。前記ケース取付部８が形成されたケース本体７の底部には，放射器１０にアンテナ支持杆２が取付けられたときに，アンテナ支持杆２の上側外周に当接するように形成された湾曲部１７ａを有する受片１７が，ケース取付部８を挟んでアンテナ支持杆２の軸方向に配列するようにケース本体７の前後に形成されており，放射器１０がアンテナ支持杆２に対して安定して取付けられるように構成されている。この取付け状態を図１２（ｂ）に示す。
【００３８】
次に，反射器２０の組立て手順について説明する。アンテナ支持杆２には導波器３を取付ける為の導波器取付用の貫通孔２３と放射器１０取付用の貫通孔２４に加えて，これらの貫通孔と略並行になるように反射器取付用の貫通孔２８がアンテナ支持杆２の後端部を貫通して形成されている。また，取付アングル５０のアンテナ支持杆取付部５２には貫通孔５５が形成されている。
そして，予め取付アングル５０を備えた反射器２０をアンテナ支持杆２の周径方向（本発明の実施例ではアンテナ支持杆２の上方）から，取付アングル５０のアンテナ支持杆取付部５２がアンテナ支持杆２の後端部に当接するように載置する。次に，アンテナ支持杆取付部５２に形成した貫通孔５５とアンテナ支持杆２に形成された反射器取付用貫通孔２８とが対向するように調節して，アンテナ支持杆取付部５２の貫通孔５５とアンテナ支持杆２の貫通孔２８とが略同一軸線上となったなら，アンテナ支持杆取付部５２の上方からネジ５３を挿入する。そして，アンテナ支持杆２の底面側においてナット５４に螺合することによって反射器２０はアンテナ支持杆２に確実に固定される。尚，図１３に示される５６は止着片でありネジ５３とナット５４の締着によってアンテナ支持杆２が押しつぶされるのを防ぐための変形防止金具である。
【００３９】
このように構成されたアンテナは上記効果を有する高性能で高信頼なアンテナを提供できるのである。またこのアンテナの使用周波数帯をＵＨＦ帯のテレビ信号に対応するように構成すれば，地上ディジタル放送の信号を受信するのに好適な優れたアンテナを提供できるのである。
尚，本発明は上記実施の形態に限定されるものではなく，各部の構成を適宜に変更して実施することも可能である。
【図面の簡単な説明】
【００４０】
【図１】本発明に係るアンテナの放射器の構成を示す概略斜視図である。
【図２】本発明のアンテナの放射器を構成するループアンテナの説明図であり，（ａ）は上面図，（ｂ）は正面図である。
【図３】ループアンテナの元部の部分拡大図およびこの元部に対応するケース本体に形成される挿通口の形状を示し，（ａ）から（ｃ）には夫々異なる実施例を示すものである。
【図４】ケース本体に対するループアンテナの取付手順の説明図であリ，夫々，（ａ）は上面図，（ｂ）は正面から見た一部断面図である。
【図５】ケース本体に対するループアンテナの取付手順の説明図であリ，夫々，（ａ）は上面図，（ｂ）は正面から見た一部断面図である。
【図６】ケース本体に対するループアンテナの取付手順の説明図であリ，夫々，（ａ）は上面図，（ｂ）は正面から見た一部断面図である。
【図７】放射器の完成図を示し，（ａ）は上面図，（ｂ）は正面から見た一部断面図である。
【図８】ケース本体に備える挿通口の異なる実施例である。
【図９】本発明に係るアンテナの導波器を示す概略構成図であり（ａ）は上面図であり，（ｂ）は正面図であり，（ｃ）は背面図であり，（ｄ）は右側面図である。
【図１０】（ａ）は本発明に係るアンテナの反射器の斜視図であり，（ｂ）は反射器とアンテナ支持杆の取付構造を示す一部を破断した要部拡大図である。
【図１１】本発明に係るアンテナを示す概略の構成図であり，（ａ）は上面図であり，（ｂ）は側面図である。（ｃ）はアンテナの異なる実施例を示す側面図である。
【図１２】図１１（ａ）におけるＡ−Ａ線断面図であり，（ｂ）は図１１（ａ）におけるＢ−Ｂ線断面図（反射器は省略した）である。
【図１３】図１１（ａ）におけるＣ−Ｃ線断面図であり，（ｂ）は図１３（ａ）におけるＤ−Ｄ線断面図（反射器は一部を破断した）である。
【符号の説明】
【００４１】
１…アンテナ，２…アンテナ支持杆，３（３Ａ，３Ｂ）…導波器，５…ケース，６…蓋体，７…ケース本体，７ａ…第１収容空間，８…ケース取付部，９…ナット，１０…放射器，１１…第１ループアンテナ，１１ａ・１１ａ´…接続点，１１ｂ・１１ｃ…側部導波素子，１１ｄ…上部導波素子，１１ｅ…下部導波素子，１１ｆ…止着片，１１ｇ…元部，１２…第２ループアンテナ，１２ａ・１２ａ´…接続点，１２ｂ・１２ｃ…側部導波素子，１２ｄ…上部導波素子，１２ｅ…下部導波素子，１１ｆ…止着片，１２ｇ…元部，１４…ボス，１４ａ…ネジ取付穴，１５…位相調整手段，１７…受片，１７ａ…湾曲部，１８…収容部，１８ａ…第２収納空間，１９…水切りスカート部，２０…反射器，２１…ネジ，２２…ナット，２３…導波器取付用貫通孔，２４…放射器取付用貫通孔，２５…ネジ，２８…反射器取付用貫通孔，３０…第３ループアンテナ，３０ｄ…上部導波素子，３０ｅ…下部導波素子，３０ｂ・３０ｃ…側部導波素子，３０ｇ…元部，３１…ループアンテナ支持台，３２…突設片，３３…貫通孔，３４…挿通孔，４０…アンテナ出力端子，４１，４２…凹部，４３…プリント配線板，４４…ネジ，４５…平衡不平衡変換手段，５０…取付アングル，５１…湾曲，５２…アンテナ支持杆取付部，５３…ネジ，５４…ナット，５５…貫通孔，５６…止着片，５７…反射器取付部，６０…ネジ，６１…ナット，７１・７２…挿通口，７１ａ…孔，７１ｂ…長孔，７５…防水キャップ。
【図１】
2008135866.tif 000003
【図２】
2008135866.tif 000004
【図３】
2008135866.tif 000005
【図４】
2008135866.tif 000006
【図５】
2008135866.tif 000007
【図６】
2008135866.tif 000008
【図７】
2008135866.tif 000009
【図８】
2008135866.tif 000010
【図９】
2008135866.tif 000011
【図１０】
2008135866.tif 000012
【図１１】
2008135866.tif 000013
【図１２】
2008135866.tif 000014
【図１３】
2008135866.tif 000015